(57)【要約】      （修正有）【課題】緩衝材設置部が湾曲部を挟んで相隣り合うように構成している一対の緩衝材設置部位にて構成している場合でも、緩衝材を分割構成とせず単一構成としても湾曲部を含む緩衝材設置部に堅固に貼着可能に構成した燃料タンクを提供する。【解決手段】タンク本体１のタンク表面において、車体２に対向するように湾曲部１ｄを挟んで相隣り合うように構成している一対の緩衝材設置部位３ａ、３ｂにゴム等の緩衝材４を貼付して構成する場合、緩衝材４が、湾曲部１ｄを含んで両緩衝材設置部位３ａ、３ｂが構成する緩衝材設置部３に連続的に貼付されるようにゴム等の平板で形成された単一構造体として構成すると共に、緩衝材４における湾曲部１ｄに対接する屈曲部位５ｃに屈曲糸口部５を形成した。【選択図】図３
2014108699.tif 000002
【特許請求の範囲】
【請求項１】
タンク本体のタンク表面において、車体に対向するように湾曲部を挟んで相隣り合うように構成している一対の緩衝材設置部位にゴム等の緩衝材を貼付して構成した車両用燃料タンクであって、前記緩衝材が、前記湾曲部を含んで前記両緩衝材設置面に連続的に貼付されるようにゴム等の平板で形成された単一構造体として構成すると共に、前記緩衝材における前記湾曲部に対接する屈曲部位に屈曲糸口部が形成されていることを特徴とする車両用燃料タンク。
【請求項２】
前記屈曲糸口部が、前記屈曲部位内方において当該屈曲延長線に沿って前記緩衝材の表裏を貫通するように形成した線状切欠き部にて構成されていることを特徴とする請求項１に記載の車両用燃料タンク。
【請求項３】
前記屈曲糸口部が、前記緩衝材の前記屈曲部位における当該屈曲延長線が交差する互いに対向する側端辺部に外方に開口するように形成した切欠き溝にて構成されていることを特徴とする請求項１に記載の車両用燃料タンク。
【請求項４】
前記屈曲糸口部が、前記屈曲部位における当該屈曲延長線に沿って緩衝材の表裏を貫通するように形成した線状切欠き部、及び、前記緩衝材における前記屈曲部位における当該屈曲延長線が交差する互いに対向する側端辺部に外方に開口して前記緩衝材の表裏を貫通するように形成した切欠き溝にて構成されていることを特徴とする請求項１に記載の車両用燃料タンク。
【請求項５】
請求項２又は請求項４に記載の自動車燃料タンク構造であって、前記屈曲糸口部が、前記屈曲部位における当該屈曲延長線に沿って複数条形成されていることを特徴とする車両用燃料タンク。
【請求項６】
前記屈曲糸口部が、前記屈曲部位における当該屈曲延長線に沿って前記緩衝材の表裏を貫通するように形成した切り溝にて構成されていることを特徴とする請求項１に記載の車両用燃料タンク。
【請求項７】
前記屈曲糸口部が、前記屈曲部位における当該屈曲延長線に沿うように前記緩衝材に不貫通状態で形成された線状切欠き部により構成されており、該線状切欠き溝によって前記湾曲部に対接する前記緩衝材の表面側又は裏面側部位に薄肉部が形成されていることを特徴とする請求項１に記載の車両用燃料タンク。
【請求項８】
請求項７に記載の車両燃料タンクにおいて、前記屈曲糸口部が、前記屈曲線に沿って、複数条形成されていることを特徴とする車両用燃料タンク。
【発明の詳細な説明】
【技術分野】
【０００１】
この発明は、自動車等の車両における車体、例えばフロアパネルの下方に設置される車両用燃料タンクに関する。
【背景技術】
【０００２】
この種の車両用燃料タンク構造は、通常、車体、例えばフロアパネルの下方において設置されることから、当該車体に対して近接した状態で設置されることになる。かかることから、車両の振動などを起因として、タンク本体の表面が当該車体と干渉したり、或いはタンク本体内の燃料の波立ちなどによる振動や騒音を車体に伝播してしまうことがある。
【０００３】
そこで、従来においては、この種の燃料タンクを車体に設置する場合、タンク本体の表面における、当該車体に近接して対向する部位を緩衝材設置部にして、当該緩衝材設置部にゴム等から構成する緩衝材を貼付するようにして、当該緩衝材によってタンク本体の車体との干渉を防止すると共にタンク本体内の燃料の波立ちによる振動や騒音を車体に伝播されないようにしていた。
【０００４】
そして、かかる緩衝材設置部に緩衝材を設置する場合、当該緩衝材設置部は、平面状に構成しているばかりでなく、湾曲部を間に挟んだ状態(例えば、タンク本体側面壁及びフランジ部の如き場合)で構成されていることがある。
【０００５】
このように緩衝材設置部が、湾曲部を挟んだ状態で構成している場合に、部品点数の軽減や貼着工数の低減などの理由から緩衝材を単一構成にして接着剤などにより貼付すると、緩衝材の弾性反力によって当該湾曲部への緩衝材の接着力が弱くなって、使用状態によっては、タンク本体の表面から剥離してしまったり、或いは、緩衝材の実際の貼着位置が貼着作業者によってばらついてしまうことがあった。
【０００６】
そこで、従来技術においては、図１９乃至図２１に示すように、タンク本体ａが、例えば一対のタンク半体ａ−１、ａ−２にそれぞれ形成した接合フランジ部ａ−３、ａ−４同士を接合することによって構成されて、タンク本体ａにおける車体ｂ（図２１を参照）との対向近接する表面周辺部位を緩衝材設置部ｃとした場合、緩衝材設置部ｃは、タンク本体ａにおいて接合フランジ部ａ−３、ａ−４が形成された結果、湾曲部ａ−５を挟んで相隣り合うように構成した一対の緩衝材設置部位ｃ−１、ｃ−２にて構成されることになる。かかる結果、緩衝材ｄは、両緩衝材設置部位ｃ−１、ｃ‐２にそれぞれ別体にて構成した一対の緩衝材ｄ−１、ｄ−２を貼付することによって構成して、湾曲部ａ−５には貼付しないことにして所定の接着力を保持させるタンク本体から容易に剥離しないようになっていた(類似する先行文献として特許文献１を参照)。
【先行技術文献】
【特許文献】
【０００７】
【特許文献１】実開平５−８９０６０号公報
【発明の開示】
【発明が解決しようとする課題】
【０００８】
しかしながら、従来の車両用燃料タンクにおける緩衝材ｄ−１、ｄ−２は、一対の緩衝材設置部位ｃ−１、ｃ−２にそれぞれ貼付すべく、互いに別体構成になっていることから、部品点数が増加して製作コストが嵩むばかりでなく、タンク本体への貼着加工時間が多くかかってしまうことになる。  
【０００９】
この発明は、かかる従来の技術における未解決課題に鑑み、緩衝材設置部が湾曲部を挟んで相隣り合うように構成されている一対の緩衝材設置部位にて構成している場合でも、緩衝材を分割構成とせず単一構成にしたとしても湾曲部を含む緩衝材設置部に堅固に貼着可能に構成した車両用燃料タンクを提供することを目的としている。
【課題を解決するための手段】
【００１０】
この発明に係る車両用燃料タンクは、タンク本体のタンク表面において、車体に対向するように湾曲部を挟んで相隣り合うように構成している一対の緩衝材設置部位にゴム等の緩衝材を貼付して構成した車両用燃料タンクであって、前記緩衝材が、前記湾曲部を含んで前記両緩衝材設置面に連続的に貼付されるようにゴム等の平板で形成された単一構造体として構成すると共に、前記緩衝材における前記湾曲部に対接する屈曲部位に屈曲糸口部が形成されていることを特徴とする。
【００１１】
かかる構成により、この発明は、緩衝材を単一構造体にて構成すると共に湾曲部に対接する屈曲部位に屈曲糸口部を形成したことから、当該屈曲糸口部によって緩衝材を常に同一部位にて容易に屈曲形成することができ、当該屈曲部位の弾性反力を小さくした状態で、緩衝材を一対の緩衝材設置部に容易に倣って堅固に貼着することができて、部品点数を低減すると共に部品コストを軽減することができ、しかも、貼着工数を少なくできると共に、屈曲糸口部の存在により、定形的かつ容易に所定の緩衝材の屈曲形状を形成することができて、貼着作業者が一対の緩衝材設置部の所定位置に常時正確に設置することができて、長年使用したとしても粘着力の劣化を起こさず、車両の振動などを起因とするタンク本体の表面における車体との干渉に対する緩和やタンク本体内の燃料の波立ちなどによる振動や騒音の車体への伝播等を常時確実に防止することができる。
【００１２】
加えて、この発明は、単一構造体の緩衝材によって、一対の緩衝材設置部の間に介在する湾曲部をもカバーすることができて、当該湾曲部における車体との干渉をも緩和することができる。
【００１３】
また、この発明は、一の実施の形態として、前記屈曲糸口部を前記屈曲部部位内方において当該屈曲延長線に沿って前記緩衝材の表裏を貫通するように形成した線状切欠き部にて構成している。
【００１４】
かかる構成により、この発明は、屈曲糸口部を線状切欠き部にて構成したことから、先鋭な切刃をもった切削刃等を用いてプレス成形などすれば、緩衝材に簡単に形成することができ、しかも、線状切欠き部が緩衝材の表裏を貫通するように形成したことから、容易かつ常に正確に緩衝材を屈曲構成できる上に、緩衝材設置部の形状に容易に倣って堅固に貼着することができる。
【００１５】
また、この発明は、他の実施の形態として、前記屈曲糸口部を前記緩衝材の前記屈曲部位における当該屈曲延長線が交差し互いに対向する側端辺部に外方に開口するように形成した切欠き溝にて構成している。
【００１６】
かかる構成により、この発明は、屈曲糸口部を緩衝材の屈曲部位における屈曲延長線が交差し互いに対向する側端辺部に外方に開口するように形成した切欠き溝にて構成したことから、ポンチ等を用いてプレス成形などすれば、緩衝材に簡単に形成することができ、しかも、切欠き溝が緩衝材の表裏を貫通するように形成したことから、容易かつ常に正確に緩衝材を屈曲構成できる上に、緩衝材設置部の形状に容易に倣って堅固に貼着することができる。
【００１７】
また、この発明は、他の実施の形態として、前記屈曲糸口部を、前記屈曲部位における当該屈曲延長線に沿って緩衝材の表裏を貫通するように形成した線状切欠き部、及び、前記緩衝材における前記屈曲部位における当該屈曲延長線が交差し互いに対向する側端辺部に外方に開口して前記緩衝材の表裏を貫通するように形成した切欠き溝にて構成している。
【００１８】
かかる構成により、この発明は、屈曲糸口部を、屈曲部位における当該屈曲延長線に沿って緩衝材の表裏を貫通するように形成した線状切欠き部と緩衝材における屈曲部位における屈曲延長線が交差する互いに対向する側端辺部に外方に開口して緩衝材の表裏を貫通するように形成した切欠き溝とによって構成していることから、屈曲糸口部を先鋭な切刃をもった切削刃やポンチを用いてプレス成形などすれば、緩衝材に簡単に形成することができ、しかも、線状切欠き部及び切欠き溝が共に緩衝材の表裏を貫通するように形成したことから、容易かつ常に正確に緩衝材を屈曲構成できる上に、緩衝材設置部の形状に容易に倣って堅固に貼着することができる。
【００１９】
また、この発明は、他の実施の形態として、前記屈曲糸口部を、前記屈曲部位における当該屈曲延長線に沿って複数条形成している。
【００２０】
かかる構成により、屈曲糸口部が屈曲部位において複数条形成されていることから、さらに、容易かつ常に正確に緩衝材を屈曲構成できる上に、緩衝材設置部の形状に追従して堅固に貼着することができる。
【００２１】
また、この発明は、他の実施の形態として、前記屈曲糸口部を、前記屈曲部位における当該屈曲延長線に沿って前記緩衝材の表裏を貫通するように形成した切り溝にて構成している。
【００２２】
かかる構成により、この発明は、屈曲糸口部を緩衝材の屈曲部位における屈曲延長線に沿って形成した切欠き溝にて構成したことから、ポンチ等を用いてプレス成形などすれば、緩衝材に簡単に形成することができ、しかも、切欠き溝が緩衝材の表裏を貫通するように形成したことから、容易かつ常に正確に緩衝材を屈曲構成できる上に、緩衝材設置部の形状に追従して堅固に貼着することができる。
【００２３】
また、この発明は、他の実施の形態として、前記屈曲糸口部が、前記屈曲部位における当該屈曲延長線に沿うように前記緩衝材に不貫通状態で形成した線状切欠き部により構成されており、該線状切欠き溝によって前記湾曲部に対接する前記緩衝材の表面側又は裏面側部位に薄肉部が形成されている。
【００２４】
かかる構成により、この発明は、屈曲糸口部を屈曲部位における当該屈曲延長線に沿うように緩衝材に不貫通状態で形成した線状切欠き部により構成すると共に、不貫通状態の線状切欠き溝によって湾曲部に対接する緩衝材の表面側又は裏面側部位に薄肉部を形成したことから、容易かつ常に正確に緩衝材を屈曲構成できる上に、緩衝材設置部の形状に容易に倣って堅固に貼着することができる。
【００２５】
また、この発明は、他の実施の形態として、前記屈曲糸口部が、前記屈曲延長線に沿って、複数条形成されている。
【００２６】
かかる構成により、屈曲糸口部が屈曲部位において複数条形成されていることから、さらに、容易かつ常に正確に緩衝材を屈曲構成できる上に、緩衝材設置部の形状に容易に倣って堅固に貼着することができる
【発明の効果】
【００２７】
この発明は、緩衝材を単一構造体にて構成すると共に湾曲部に対接する屈曲部位に屈曲糸口部を形成したことから、当該屈曲糸口部によって緩衝材を常に同一部位にて容易に屈曲形成することができ、当該屈曲部位の弾性反力を小さくした状態で、緩衝材を一対の緩衝材設置部に容易に倣って堅固に貼着することができて、部品点数を低減すると共に部品コストを軽減することができ、しかも、貼着工数を少なくできると共に、屈曲糸口部の存在により、定形的かつ容易に所定の緩衝材の屈曲形状を形成することができて、貼着作業者が一対の緩衝材設置部の所定位置に常時正確に設置することができ、長年使用したとしても粘着力の劣化を起こさず、車両の振動などを起因とするタンク本体の表面における車体との干渉に対する緩和やタンク本体内の燃料の波立ちなどによる振動や騒音の車体への伝播等を常時確実に防止することができる。
【００２８】
加えて、この発明は、単一構造体の緩衝材によって、一対の緩衝材設置部の間に介在する湾曲部をもカバーすることができて、当該湾曲部における車体との干渉をも緩和することができる。
【図面の簡単な説明】
【００２９】
【図１】この発明の第１の実施例に係る車両用燃料タンクを描画した斜視図である。
【図２】図１のＡ円内を拡大して描画した斜視図である。
【図３】図２のＢ−Ｂ断面図である。
【図４】この発明の第１実施例に係る緩衝材を描画した斜視図である。
【図５】図４のＣ−Ｃ断面図である。
【図６】この発明に係る第２実施例に係る緩衝材を描画した斜視図である。
【図７】この発明に係る第３実施例に係る緩衝材を描画した斜視図である。
【図８】この発明に係る第４実施例に係る緩衝材を描画した斜視図である。
【図９】この発明に係る第５実施例に係る緩衝材を描画した斜視図である。
【図１０】この発明に係る第６実施例に係る緩衝材を描画した斜視図である。
【図１１】図１０のＤ−Ｄ断面図である。
【図１２】この発明に係る第７実施例に係り、図１１と同様な断面図である。
【図１３】この発明に係る第８実施例に係る緩衝材を描画した斜視図である。
【図１４】この発明の第９の実施例に係る車両用燃料タンクを描画した斜視図である。
【図１５】図１４のＥ−Ｅ断面図である。
【図１６】この発明の第９実施例に係る緩衝材を描画した斜視図である。
【図１７】この発明の第１０実施例に係る緩衝材を描画した斜視図である。
【図１８】この発明の第１１実施例に係る緩衝材を描画した斜視図である。
【図１９】従来の車両用燃料タンクを描画した斜視図である。
【図２０】図１９のＦ円内を拡大して描画した斜視図である。
【図２１】図２０のＧ−Ｇ断面図である。
【発明を実施するための形態】
【００３０】
この発明の実施例に係る車両用燃料タンクは、緩衝材設置部が湾曲部を挟んで相隣り合うように構成されている一対の緩衝材設置部位にて構成している場合でも、緩衝材を分割構成とせず単一構成としても湾曲部を含む緩衝材設置部に堅固に貼着可能に構成したものである。
【００３１】
次に、図を用いて、この発明を採用した実施例に係る自動車用燃料タンクの取付装置について説明する。
【００３２】
先ず、図１乃至図５に示すこの発明に係る第１の実施例について説明する。タンク本体１は、燃料を蓄えるべく一方のタンク半体（例えば、アッパータンク）１ａともう一方のタンク半体（例えば、ロアタンク）１ｂとを互いのフランジ部１ａ−１、１ｂ−１同士を接合することによって構成している。一方のタンク半体１ａには、不図示の燃料給油管を接続される給油口１ｃが設けられている。
【００３３】
タンク本体１は、車両の車体（例えばフロアパネル）２の下方において設置されていることから（図３を参照）、当該車体２に対して近接した状態で設置される。このことから、タンク本体１は、車両の振動などに起因してタンク本体１の表面が車体２と直接干渉したり、或いはタンク本体１内の燃料の波立ちなどによる振動や騒音が車体２に伝播しないように、タンク表面における車体２に近接する部位を緩衝材設置部３に定めて、当該緩衝材設置部３にゴム等の弾性体からなる緩衝材４を設置している。緩衝材４は、裏面側に接着剤や両面接着テープを張設することによって、緩衝材設置部３に貼着固定されている。
【００３４】
そして、緩衝材設置部３は、例えば、タンク本体１を構成する一のタンク半体１ａにおいて、湾曲部１ｄを挟んで相隣り合う側端辺部１ａ−２とフランジ部１ａ−１とにおける車体２と近接する部位に設定されている。従って、緩衝材設置部３は、湾曲部１ｄを連続介在させた状態で、側端辺部１ａ−２が構成する緩衝材設置部位３ａ及びフランジ部１ａ−１が構成する緩衝材設置部位３ｂを有して、緩衝材４が貼着されるようになっている。
【００３５】
緩衝材４は、例えばゴム等の弾性体からなる平板をプレス成形等により所定の形状に成形することによって、構成している。そして、緩衝材４は、図４に明確に示すように、略長方形状を呈する単一構成体であって、その面部４ａの内方には、先鋭な切刃をもった切削刃等を用いてプレス成形することにより、図５に明示するように緩衝材４の表裏両面に貫通する線状切欠き部５ａが形成されていると共に、図４に示すように、線状切欠き部５ａに対向するように、緩衝材４の側端辺部４ｂ、４ｂには、それぞれ外方に開口する略Ｖ字状の切欠き溝５ｂが緩衝材４の表裏を貫通するように形成されて、構成している。
【００３６】
そして、緩衝材４は、湾曲部１ｄを挟んで相隣り合う側端辺部１ａ−２とフランジ部１ａ−１とで構成する緩衝材設置部３に、予め張設しておいた接着剤や両面テープ等により貼着されることから、略Ｌ字状部位に設置されることになって、これに倣ってやはり略Ｌ字状に屈曲した状態で、貼着されることになる。
【００３７】
かかることから、緩衝材４は、図４の一点鎖線で示す屈曲延長線６に沿って、略Ｌ字状に屈曲することによって屈曲部位５ｃを形成しながら、緩衝材設置部３に貼着されることになる。この時、屈曲延長線６上に存する線状切欠き部５ａ及び切欠き溝５ｂが屈曲糸口部５となって、緩衝材４は、屈曲形成されることになる。
【００３８】
このように構成するこの発明の第１実施例によれば、緩衝材４を単一構造体にて構成すると共に湾曲部１ｄに対接する屈曲部位５ｃに、線状切欠き部５ａ及び切欠き溝５ｂが構成する屈曲糸口部５を形成したことから、屈曲糸口部５によって緩衝材４を常に同一部位にて容易に屈曲形成することができ、屈曲部位５ｃの弾性反力を小さくした状態で、緩衝材４を一対の緩衝材設置部位３ａ、３ｂに容易に倣って堅固に貼着することができて、部品点数を低減すると共に部品コストを軽減することができ、しかも、貼着工数を少なくできると共に、屈曲糸口部５の存在により、定形的かつ容易に所定の緩衝材４の屈曲形状を形成することができて、貼着作業者が一対の緩衝材設置部３の所定位置に常時正確に設置することができて、長年使用したとしても粘着力の劣化を起こさず、車両の振動などを起因とするタンク本体１の表面における車体２との干渉に対する緩和やタンク本体１内の燃料の波立ちなどによる振動や騒音の車体への伝播等を常時確実に防止することができる。
【００３９】
加えて、この第１の実施例は、単一構造体の緩衝材４によって、一対の緩衝材設置部位３ａ、３ｂの間に介在する湾曲部１ｄをもカバーすることができて、当該湾曲部１ｄにおける車体２との干渉をも緩和することができる。
【００４０】
さらに、この第１の実施例においては、屈曲糸口部５が、屈曲部位５ｃにおける屈曲延長線６に沿って緩衝材４の表裏を貫通するように形成した線状切欠き部５ａと緩衝材４における屈曲部位５ｃにおける屈曲延長線６が交差する互いに対向する側端辺部４ｂ、４ｂにそれぞれ外方に開口して緩衝材４の表裏を貫通するように形成した切欠き溝５ｂとによって構成していることから、屈曲糸口部５のうち、線状切欠き部５ａを先鋭な切刃をもった切削刃を用い、また、切欠き溝５ｂをポンチを用いることによって、共にプレス成形などすれば、緩衝材４に簡単に形成することができ、しかも、線状切欠き部５ａ及び切欠き溝５ｂが共に緩衝材４の表裏を貫通するように形成したことから、容易かつ常に正確に緩衝材４を屈曲構成できる上に、緩衝材設置部３の形状に容易に倣って堅固に貼着することができる。
【００４１】
図６乃至図１８を用いて、この発明に係る他の実施例について説明する。
【００４２】
先ず、図６は、この発明に係る第２の実施例による緩衝材４について描画している。図６によれば、緩衝材４における屈曲糸口部５は、前述の第１の実施例における線状切欠き部５ａを廃止して、切欠き溝５ｂ、５ｂのみを形成することにより、構成している。
【００４３】
従って、第２の実施例は、緩衝材４が比較的薄手の平板にて構成する場合等に、緩衝材４のプレス成形型などを簡略化したもので、薄手の緩衝材４故に、切欠き溝５ｂ、５ｂのみによって屈曲糸口部５を構成しても、容易かつ常に正確に緩衝材４を屈曲構成できる上に、緩衝材設置部３の形状に容易に倣って堅固に貼着することができる。
【００４４】
加えて、この第２の実施例においても、単一構造体の緩衝材４によって、一対の緩衝材設置部位３ａ、３ｂの間に介在する湾曲部１ｄをもカバーすることができて、当該湾曲部１ｄにおける車体２との干渉をも緩和することができる。
【００４５】
また、図７に示すこの発明に係る第３の実施例によれば、緩衝材４における屈曲糸口部５は、前述の第１の実施例における切欠き溝５ｂ、５ｂを廃止して、屈曲延長線６に沿って線状切欠き部５ａのみを緩衝材４の表裏共に貫通して形成することにより、構成している。
【００４６】
従って、第３の実施例は、緩衝材４が比較的薄手の平板にて構成する場合等に、緩衝材４のプレス成形型などを簡略化したもので、薄手の緩衝材４故に、線状切欠き部のみによって屈曲糸口部５を構成したとしても、容易かつ常に正確に緩衝材４を屈曲構成できる上に、緩衝材設置部３の形状に容易に倣って堅固に貼着することができる。
【００４７】
加えて、この第３の実施例においても、単一構造体の緩衝材４によって、一対の緩衝材設置部位３ａ、３ｂの間に介在する湾曲部１ｄをもカバーすることができて、当該湾曲部１ｄにおける車体２との干渉をも緩和することができる。
【００４８】
また、図８に示すこの発明に係る第４の実施例によれば、緩衝材４における屈曲糸口部５は、前述の第１の実施例における線状切欠き部５ａに代えて、屈曲部位５ｃの内方において屈曲延長線６に沿って緩衝材４の表裏を共に貫通するように形成した、長溝例えば略楕円形の切欠き溝５ｄにより構成している。
【００４９】
従って、第４の実施例に係る屈曲糸口部５は、屈曲部位５ｃの内方において屈曲延長線６に沿って緩衝材４の表裏を共に貫通するように形成した切欠き溝５ｄによって構成していることから、ポンチを用いることによってプレス成形などすれば、緩衝材４に簡単に形成することができ、しかも、切欠き溝５ｄが緩衝材４の表裏を貫通するように形成したことから、容易かつ常に正確に緩衝材４を屈曲構成できる上に、緩衝材設置部３の形状に容易に倣って堅固に貼着することができる。
【００５０】
加えて、この第４の実施例においても、単一構造体の緩衝材４によって、一対の緩衝材設置部位３ａ、３ｂの間に介在する湾曲部１ｄをもカバーすることができて、当該湾曲部１ｄにおける車体２との干渉をも緩和することができる。
【００５１】
また、図９に示すこの発明に係る第５の実施例によれば、緩衝材４における屈曲糸口部５は、前述の第１の実施例における線状切欠き部５ａに代えて、屈曲部位５ｃの内方において屈曲延長線６に沿って緩衝材４の表裏を共に貫通するように形成した切欠き溝５ｄを設けると共に、第１の実施例と同様に、緩衝材４の側端辺部４ｂ、４ｂにそれぞれ外方に開口して緩衝材４の表裏を共に貫通するように形成した略Ｖ字状の切欠き溝５ｂを設けることによって、構成している。
【００５２】
従って、第５の実施例に係る屈曲糸口部５は、屈曲部位５ｃの内方において屈曲延長線６に沿って緩衝材４の表裏を共に貫通するように形成した切欠き溝５ｄと、屈曲部位５ｃの内方において屈曲延長線６に沿って緩衝材４の表裏を共に貫通するように形成した切欠き溝５ｄとによって構成していることから、切欠き溝５ｂ、５ｄをポンチを用いることによって、共にプレス成形などすれば、緩衝材４に簡単に形成することができ、しかも、切欠き溝５ｂ、５ｄが共に緩衝材４の表裏を貫通するように形成したことから、容易かつ常に正確に緩衝材４を屈曲構成できる上に、緩衝材設置部３の形状に容易に倣って堅固に貼着することができる。
【００５３】
加えて、この第５の実施例においても、単一構造体の緩衝材４によって、一対の緩衝材設置部位３ａ、３ｂの間に介在する湾曲部１ｄをもカバーすることができて、当該湾曲部１ｄにおける車体２との干渉をも緩和することができる。
【００５４】
また、図１０及び図１１に示すこの発明に係る第６の実施例によれば、図７に示す第３の実施例における緩衝材４の表裏を共に貫通する線状切欠き部５ａに代えて、断面Ｖ字状の線状切欠き部５ｅによって、緩衝材４に対して不貫通状態の屈曲糸口部５を構成している。この結果、屈曲糸口部５が緩衝材４の表面又は裏面において、緩衝材４に薄肉部４ｃが形成されており、薄肉部４ｃ側を谷折りにして、緩衝材４は屈曲形成されるように構成するものであり、緩衝材設置部３の形状に倣うべく、緩衝材４を略Ｌ字状に屈曲する際には、屈曲糸口部５を構成する線状切欠き部５ｅの開口側を山折にして屈曲されるように構成していることになる。
【００５５】
従って、第６の実施例に係る屈曲糸口部５は、屈曲部位５ｃの内方において屈曲延長線６に沿って形成した底壁を有する断面Ｖ字状の線状切欠き部５ｅによって構成していることから、緩衝材４が比較的薄手の平板にて構成する場合等に、緩衝材４のプレス成形型などを簡略化できるもので、薄手の緩衝材４故に、線状切欠き部５ｅのみによって屈曲糸口部５を構成しても、容易かつ常に正確に緩衝材４を屈曲構成できる上に、緩衝材設置部３の形状に容易に倣って堅固に貼着することができる。
【００５６】
加えて、この第６の実施例においても、単一構造体の緩衝材４によって、一対の緩衝材設置部位３ａ、３ｂの間に介在する湾曲部１ｄをもカバーすることができて、当該湾曲部１ｄにおける車体２との干渉をも緩和することができる。
【００５７】
また、図１２に示すこの発明に係る第７の実施例は、上記第６の実施例における断面Ｖ字状の線状切欠き部５ｅに代えて、緩衝材４に対して不貫通状態の直溝状の線状切欠き部５ｅにより屈曲糸口部５を構成したものである。この結果、屈曲糸口部５が緩衝材４の表面又は裏面において、緩衝材４に薄肉部４ｃが形成されており、薄肉部４ｃ側を谷折りにして、緩衝材４は屈曲形成されるように構成するものであり、緩衝材設置部３の形状に倣うべく、緩衝材４を略Ｌ字状に屈曲する際には、屈曲糸口部５を構成する線状切欠き部５ｅの開口側を山折にして屈曲されるように構成していることになる。
【００５８】
従って、第７の実施例に係る屈曲糸口部５は、屈曲部位５ｃの内方において屈曲延長線６に沿って形成した底壁を有し、緩衝材に対して不貫通状態の直溝状の線状切欠き部５ｅによって構成していることから、緩衝材４が比較的薄手の平板にて構成する場合等に、緩衝材４のプレス成形型などを簡略化できるもので、薄手の緩衝材４故に、線状切欠き部５ｅのみによって屈曲糸口部５を構成しても、容易かつ常に正確に緩衝材４を屈曲構成できる上に、緩衝材設置部３の形状に容易に倣って堅固に貼着することができる。
【００５９】
加えて、この第７の実施例においても、単一構造体の緩衝材４によって、一対の緩衝材設置部位３ａ、３ｂの間に介在する湾曲部１ｄをもカバーすることができて、当該湾曲部１ｄにおける車体２との干渉をも緩和することができる。
【００６０】
また、図１３に示すこの発明に係る第８の実施例における屈曲糸口部５は、上記第１の実施例における緩衝材４の表裏共に貫通する線状切欠き部５ａに代えて、屈曲部位５ｃの内方において屈曲延長線６に沿って形成した底壁を有する断面Ｖ字状の線状切欠き部５ｅと、上記第１の実施例と同様に、緩衝材４における屈曲部位５ｃにおける屈曲延長線６が交差する互いに対向する側端辺部４ｂ、４ｂにそれぞれ外方に開口して緩衝材４の表裏を貫通するように形成した切欠き溝５ｂとによって構成している。
【００６１】
かかる第８の実施例における線状切欠き部５ｅは、上記第６及び第７の実施例と同様に、屈曲糸口部５が、緩衝材４の表面側又は裏面側において薄肉部４ｃが形成されており、薄肉部４ｃ側を谷折りにして緩衝材４を屈曲されるように構成されているものであり、緩衝材設置部３の形状に倣うべく、緩衝材４を略Ｌ字状に屈曲する際には、屈曲糸口部５を構成する線状切欠き部５ｅの開口側を山折にして屈曲されるように構成していることになる。
【００６２】
このように構成するこの発明の第８実施例によれば、緩衝材４を単一構造体にて構成すると共に湾曲部１ｄに対接する屈曲部位５ｃに、線状切欠き部５ｅ及び切欠き溝５ｂが構成する屈曲糸口部５を形成したことから、屈曲糸口部５によって緩衝材４を常に同一部位にて容易に屈曲形成することができ、屈曲部位５ｃの弾性反力を小さくした状態で、緩衝材４を一対の緩衝材設置部位３ａ、３ｂに容易に倣って堅固に貼着することができて、部品点数を低減すると共に部品コストを軽減することができ、しかも、貼着工数を少なくできると共に、屈曲糸口部５の存在により、定形的かつ容易に所定の緩衝材４の屈曲形状を形成することができて、貼着作業者が一対の緩衝材設置部３の所定位置に常時正確に設置することができて、長年使用したとしても粘着力の劣化を起こさず、車両の振動などを起因とするタンク本体１の表面における車体２との干渉に対する緩和やタンク本体１内の燃料の波立ちなどによる振動や騒音の車体への伝播等を常時確実に防止することができる。
【００６３】
加えて、この第８の実施例においても、単一構造体の緩衝材４によって、一対の緩衝材設置部位３ａ、３ｂの間に介在する湾曲部１ｄが共にカバーされることになって、当該湾曲部１ｄにおける車体２との干渉をも緩和することができる。
【００６４】
次に、図１４乃至図１６を用いて、この発明に係る第９の実施例について説明する。上記第１乃至第８実施例においては、緩衝材４をタンク本体１の側端辺部１ａ−２及びフランジ部１ａ−１が湾曲部１ｄを介在させて構成する緩衝材設置部３に、緩衝材４を貼着するように構成しているのに対し、図１４乃至図１６に示す第９の実施例は、タンク本体１における側端辺部１ａ−２における緩衝材設置部位３ａと、湾曲部１ｅが介在して連続するタンク本体１の例えば上面部１ｆにおける緩衝材設置部位３ｂとで、緩衝材設置部３を構成しており、緩衝材設置部３には、緩衝材４が貼着設置されている。
【００６５】
緩衝材４は、湾曲部１ｅの湾曲形状が比較的大きいことから、図１６に明示するように、屈曲糸口部５は、屈曲延長線６に一本の線状切欠き部５ａを形成するほか、屈曲延長線６を挟んで両側にさらに二本の線状切欠き部５ａを加えて形成することによって、構成している。これら３本の線状切欠き部５ａは、共に緩衝材４における表裏共に貫通するように形成されている。但し、上記第８の実施例と同様に、緩衝材４における表裏の一方にのみ貫通する場合も考えられる。
【００６６】
このように構成するこの発明に係る第９の実施例によれば、屈曲糸口部５が、屈曲延長線６上を含み、３本の線状切欠き部５ａによって構成していることから、タンク本体１における側端辺部１ａ−２と上面部１ｆとの間に介在する湾曲部１ｅの湾曲形状が比較的大きい場合でも、湾曲部１ｅに容易に倣って堅固に緩衝材４を貼着できることになる。
【００６７】
このように構成するこの発明の第９実施例によれば、緩衝材４を単一構造体にて構成すると共に湾曲部１ｅに対接する屈曲部位５ｃに、３本の線状切欠き部５ａが構成する屈曲糸口部５を形成したことから、屈曲糸口部５によって緩衝材４を常に同一部位にて容易に屈曲形成することができ、屈曲部位５ｃの弾性反力を小さくした状態で、緩衝材４を緩衝材設置部３に容易に倣って堅固に貼着することができて、部品点数を低減すると共に部品コストを軽減することができ、しかも、貼着工数を少なくできると共に、３本の線状切欠き部５ａが構成する屈曲糸口部５の存在により、定形的かつ容易に所定の緩衝材４の屈曲形状を形成することができて、貼着作業者が一対の緩衝材設置部３の所定位置に常時正確に設置することができて、長年使用したとしても粘着力の劣化を起こさず、車両の振動などを起因とするタンク本体１の表面における車体２との干渉に対する緩和やタンク本体１内の燃料の波立ちなどによる振動や騒音の車体への伝播等を常時確実に防止することができる。
【００６８】
加えて、この第９の実施例においても、単一構造体の緩衝材４によって、緩衝材設置部３に存する湾曲部１ｅが共にカバーされることになって、当該湾曲部１ｅにおける車体２との干渉をも緩和することができる。
【００６９】
なお、上記第９の実施例においては、屈曲糸口部５は、屈曲延長線上に一本の線状切欠き部５ａを形成する場合、或いは屈曲延長線の両側にそれぞれ一本、計三本の線状切欠き部５ａを形成して、緩衝材４を構成しているが、これに限定されるものではなく、線状切欠き部５ａの本数は、緩衝材４の板厚、剛性或いは接着材の特性等により、適宜選定されることになる。
【００７０】
また、かかる第９の実施例において使用する緩衝材４は、上記図４及び図５に示す緩衝材４、すなわち、緩衝材４の表裏両面を貫通する線状切欠き部５ａ及び緩衝材４の側端辺部４ｂ、４ｂの表裏両面を貫通する略Ｖ字の切欠き溝５ｂ、５ｂを形成するタイプの緩衝材４も適用することができる。
【００７１】
また、図１７は、この発明に係る第１０の実施例を示している。図１７に示す第１０の実施例は、図１６に示す第９の実施例における３本の線状切欠き部５ａに加えて、
線状切欠き部５ａに対向するように、緩衝材４の互いに対向する側端辺部４ｂ、４ｂにそれぞれ外方に開口すべく略Ｖ字状の切欠き溝５ｂが緩衝材４の表裏を貫通するように形成することによって、屈曲糸口部５を構成したものである。
【００７２】
このように構成するこの発明の第１０実施例によれば、緩衝材４を単一構造体にて構成すると共に湾曲部１ｅに対接する屈曲部位５ｃに、３本の線状切欠き部５ａ及び一対の切欠き溝５ｂが構成する屈曲糸口部５を形成したことから、屈曲糸口部５によって緩衝材４を常に同一部位にて容易に屈曲形成することができ、屈曲部位５ｃの弾性反力を小さくした状態で、緩衝材４を大きく湾曲する湾曲部１ｅを有する緩衝材設置部３に容易に倣って堅固に貼着することができて、部品点数を低減すると共に部品コストを軽減することができ、しかも、貼着工数を少なくできると共に、３本の線状切欠き部５ａ及び一対の切欠き溝５ｂが構成する屈曲糸口部５の存在により、定形的かつ容易に所定の緩衝材４の屈曲形状を形成することができて、貼着作業者が緩衝材設置部３の所定位置に常時正確に設置することができて、長年使用したとしても粘着力の劣化を起こさず、車両の振動などを起因とするタンク本体１の表面における車体２との干渉に対する緩和やタンク本体１内の燃料の波立ちなどによる振動や騒音の車体への伝播等を常時確実に防止することができる。
【００７３】
加えて、この第１０の実施例においても、単一構造体の緩衝材４によって、緩衝材設置部３に存する湾曲部１ｅが共にカバーされることになって、当該湾曲部１ｅにおける車体２との干渉をも緩和することができる。
【００７４】
図１８は、この発明に係る第１１の実施例を示している。図１８によれば、第１１の実施例においては、図１６に示す第９の実施例の変形例ともいうべくもので、屈曲糸口部５は、３本の線状切欠き部５ａを間欠的（所謂ミシン目状）に形成することによって、屈曲糸口部５構成したものである。
【００７５】
このように構成するこの発明の第１１実施例によれば、緩衝材４を単一構造体にて構成すると共に湾曲部１ｅに対接する屈曲部位５ｃに、間欠的に形成した３本の線状切欠き部５ａが構成する屈曲糸口部５を形成したことから、屈曲糸口部５によって緩衝材４を常に同一部位にて容易に屈曲形成することができ、屈曲部位５ｃの弾性反力を小さくした状態で、緩衝材４を大きく湾曲する湾曲部１ｅを有する緩衝材設置部３に容易に倣って堅固に貼着することができて、部品点数を低減すると共に部品コストを軽減することができ、しかも、貼着工数を少なくできると共に、３本の線状切欠き部５ａ及び一対の切欠き溝５ｂが構成する屈曲糸口部５の存在により、定形的かつ容易に所定の緩衝材４の屈曲形状を形成することができて、貼着作業者が緩衝材設置部３の所定位置に常時正確に設置することができて、長年使用したとしても粘着力の劣化を起こさず、車両の振動などを起因とするタンク本体１の表面における車体２との干渉に対する緩和やタンク本体１内の燃料の波立ちなどによる振動や騒音の車体への伝播等を常時確実に防止することができる。
【００７６】
加えて、この第１１の実施例においても、単一構造体の緩衝材４によって、緩衝材設置部３に存する湾曲部１ｅが共にカバーされることになって、当該湾曲部１ｅにおける車体２との干渉をも緩和することができる。
【産業上の利用可能性】
【００７７】
以上説明したこの発明は、緩衝材設置部が湾曲部を挟んで相隣り合うように構成している一対の緩衝材設置部位にて構成している場合でも、緩衝材を分割構成とせず単一構成としても湾曲部を含む緩衝材設置部に堅固に貼着可能に構成することができることから、自動車等の車両における車体、例えばフロアパネルの下方に設置される車両用燃料タンク等に好適であるといえる。
【符号の説明】
【００７８】
１    タンク本体
２    車体
３    緩衝材設置部
３ａ、３ｂ  緩衝材設置部位
４    緩衝材
４ｂ  側端辺部
５    屈曲糸口部
５ａ、５ｅ  線状切欠き部
５ｂ、５ｄ  切欠き溝
５ｃ  屈曲部位
６Ａ    屈曲延長線
【図１】
2014108699.tif 000003
【図２】
2014108699.tif 000004
【図３】
2014108699.tif 000005
【図４】
2014108699.tif 000006
【図５】
2014108699.tif 000007
【図６】
2014108699.tif 000008
【図７】
2014108699.tif 000009
【図８】
2014108699.tif 000010
【図９】
2014108699.tif 000011
【図１０】
2014108699.tif 000012
【図１１】
2014108699.tif 000013
【図１２】
2014108699.tif 000014
【図１３】
2014108699.tif 000015
【図１４】
2014108699.tif 000016
【図１５】
2014108699.tif 000017
【図１６】
2014108699.tif 000018
【図１７】
2014108699.tif 000019
【図１８】
2014108699.tif 000020
【図１９】
2014108699.tif 000021
【図２０】
2014108699.tif 000022
【図２１】
2014108699.tif 000023